(57)【要約】【課題】取得装置から認証情報を取得可能な画像処理装置において、複数の取得装置それぞれから取得された認証情報を使い分けること。【解決手段】この複合機によれば、内蔵認証デバイスからのカードＩＤを内蔵認証デバイスに対応する内蔵用ユーザ情報と照合して複合機へのログインの可否を決定し（Ｓ３０）、外付認証デバイスからのカードＩＤを外付認証デバイスに対応する外付用ユーザ情報と照合して複合機へのログインの可否を決定する。これにより、複数の認証デバイスそれぞれから取得されるカードＩＤを、照合するユーザ情報によって使い分けることができる。【選択図】図３
2015145118.tif 000002
【特許請求の範囲】
【請求項１】
認証情報を取得する内部の取得装置と、
認証情報を取得する外部の取得装置と通信する通信部と、
画像の読取および形成の少なくとも一方を実行する画像処理部と、
制御部と、を備え、
前記制御部は、
前記内部の取得装置からの認証情報に対して第１参照情報に基づいて前記画像処理部の使用可否の決定を行い、前記外部の取得装置からの認証情報に対して前記第１参照情報とは異なる第２参照情報に基づいて前記画像処理部の使用可否の決定を行う決定処理、を実行する、画像処理装置。
【請求項２】
請求項１記載の画像処理装置であって、
入力部、を備え、
前記制御部は、
少なくとも一方の取得装置に対応する参照情報を、前記入力部からの入力に基づいて設定する装置設定処理、を実行する、画像処理装置。
【請求項３】
請求項１または請求項２に記載の画像処理装置であって、
入力部、を備え、
前記制御部は、
前記内部の取得装置で対象とする認証情報と、前記外部の取得装置で対象とする認証情報と、を前記入力部からの入力に基づいて振り分ける振分処理、を実行する、画像処理装置。
【請求項４】
請求項１から請求項３のいずれか一項に記載の画像処理装置であって、
前記制御部は、
少なくとも一方の取得装置に対して、対応する参照情報が参照可能か否かを判断する判断処理と、
前記判断処理において参照できないと判断された参照情報に対応する取得装置からの認証情報を受け付けない拒否処理と、
を実行する、画像処理装置。
【請求項５】
請求項４記載の画像処理装置であって、
前記拒否処理では、前記判断処理において参照できないと判断された参照情報に対応する取得装置への電力供給量を低減する、画像処理装置。
【請求項６】
請求項１から請求項５のいずれか一項に記載の画像処理装置であって、
報知部、を備え、
前記制御部は、
一方の取得装置からの認証情報が所定条件を満たすことに応じて、他方の取得装置による前記画像処理部の使用可否の決定が可能である旨を前記報知部に報知する報知処理、を実行する、画像処理装置。
【請求項７】
請求項６記載の画像処理装置であって、
前記所定条件は、一方の取得装置に対応する参照情報に基づいて前記画像処理部の使用が許可されないことを含む、画像処理装置。
【請求項８】
請求項６記載の画像処理装置であって、
前記所定条件は、前記第１参照情報及び前記第２参照情報のそれぞれの参照情報に基づいて前記画像処理部の使用許可の決定が可能であり、かつ、他方の取得装置で取得可能な認証情報の情報量が一方の取得装置で取得可能な認証情報の情報量よりも多いことを含む、画像処理装置。
【請求項９】
請求項１から請求項８のいずれか一項に記載の画像処理装置であって、
前記決定処理では、一方の取得装置から取得した認証情報に対して対応する参照情報に基づいて前記画像処理部の使用を許可しない決定を行ったことに応じて、他方の取得装置に対応する参照情報に基づいて前記画像処理部の使用可否の決定を行う、画像処理装置。
【請求項１０】
請求項１から請求項９のいずれか一項に記載の画像処理装置であって、
前記制御部は、
前記内部の取得装置が取得可能な認証情報の種類と、前記外部の取得装置が取得可能な認証情報の種類とを比較する種類比較処理と、
前記種類比較処理において前記内部の取得装置で取得可能な認証情報の種類の少なくとも一部が前記外部の取得装置で取得可能であることに応じて、前記内部の取得装置及び前記外部の取得装置で取得可能な特定種類の認証情報に対して、前記内部の取得装置と前記外部の取得装置のいずれか一方の取得装置を前記特定種類の認証情報の取得元と選定し、他方の取得装置を前記特定種類の認証情報の非取得元と選定する選定処理と、
を実行する、画像処理装置。
【請求項１１】
請求項１０記載の画像処理装置であって、
前記制御部は、
前記内部の取得装置で取得可能な認証情報の情報量と、前記外部の取得装置で取得可能な認証情報の情報量とを比較する情報量比較処理、を実行し、
前記選定処理では、前記情報量比較処理において情報量が多いと判断された取得装置を取得元として選定する、画像処理装置。
【発明の詳細な説明】
【技術分野】
【０００１】
認証情報に基づき画像処理装置の使用を許可するか否かを決定する技術に関する。
【背景技術】
【０００２】
従来から、印刷開始時に所定の認証情報の入力を要求する画像形成装置がある（特許文献１参照）。この画像形成装置は、認証情報を読み取る外付の認証装置が着脱可能である。画像形成装置は、認証装置が装着されており、かつ、認証装置で読み取られた認証情報が予め登録された参照情報と一致する場合に、情報処理装置に対して画像形成装置への印刷情報の送信を許可し、印刷処理を実行する。
【先行技術文献】
【特許文献】
【０００３】
【特許文献１】特開２００８−２１１６４６号公報
【発明の概要】
【発明が解決しようとする課題】
【０００４】
ところで、画像形成装置などの画像処理装置には、認証情報を取得する取得装置が内蔵されているものがある。このような画像処理装置に対して、更に外付の取得装置が装着された場合に、認証情報を用いてどのように画像処理装置を動作させるかについては、十分に検討がなされてこなかった。
【０００５】
本明細書では、複数の取得装置に対応可能な画像処理装置において、認証情報を用いて画像処理装置を動作させる技術を開示する。
【課題を解決するための手段】
【０００６】
本明細書によって開示される画像処理装置は、認証情報を取得する内部の取得装置と、認証情報を取得する外部の取得装置と通信する通信部と、画像の読取および形成の少なくとも一方を実行する画像処理部と、制御部と、を備え、前記制御部は、前記内部の取得装置からの認証情報に対して第１参照情報に基づいて前記画像処理部の使用可否の決定を行い、前記外部の取得装置からの認証情報に対して前記第１参照情報とは異なる第２参照情報に基づいて前記画像処理部の使用可否の決定を行う決定処理、を実行する。
【０００７】
この画像処理装置は、内部の取得装置からの認証情報に対して第１参照情報に基づいて画像処理装置の使用可否の決定を行い、外部の取得装置からの認証情報に対して第１参照情報とは異なる第２参照情報に基づいて画像処理装置の使用可否の決定を行う。これにより、複数の取得装置それぞれから取得された認証情報を、参照情報により使い分けることができる。
【０００８】
上記画像処理装置では、入力部、を備え、前記制御部は、少なくとも一方の取得装置に対応する参照情報を、前記入力部からの入力に基づいて設定する装置設定処理、を実行してもよい。この画像処理装置では、入力部からの入力に基づいて少なくとも一方の取得装置に対応する参照情報を設定するので、当該取得装置に使用者の意向に応じた参照情報を設定することができる。
【０００９】
上記画像処理装置では、入力部、を備え、前記制御部は、前記内部の取得装置で対象とする認証情報と、前記外部の取得装置で対象とする認証情報と、を前記入力部からの入力に基づいて振り分ける振分処理、を実行してもよい。この画像処理装置は、内部の取得装置で対象とする認証情報と、外部の取得装置で対象とする認証情報と、を入力部からの入力に基づいて振り分ける。これにより、複数の取得装置それぞれから取得された認証情報を、入力部からの入力に従って使い分けることができる。
【００１０】
上記画像処理装置では、前記制御部は、少なくとも一方の取得装置に対して、対応する参照情報が参照可能か否かを判断する判断処理と、前記判断処理において参照できないと判断された参照情報に対応する取得装置からの認証情報を受け付けない拒否処理と、を実行してもよい。この画像処理装置では、対応する参照情報が参照できないと判断された取得装置からの認証情報を受け付けないので、当該認証情報に対して画像処理部の使用可否の決定が行われることが抑制され、制御部における処理を簡素化することができる。
【００１１】
上記画像処理装置では、前記拒否処理では、前記判断処理において参照できないと判断された参照情報に対応する取得装置への電力供給量を低減してもよい。この画像処理装置では、対応する参照情報が参照できないと判断された取得装置への通電量を低減するので、画像処理装置の電力消費を低減することができる。
【００１２】
上記画像処理装置では、報知部、を備え、前記制御部は、一方の取得装置からの認証情報が所定条件を満たすことに応じて、他方の取得装置による前記画像処理部の使用可否の決定が可能である旨を前記報知部に報知する報知処理、を実行してもよい。この画像処理装置では、一方の取得装置からの認証情報が所定条件を満たすことに応じて、他方の取得装置による画像処理部の使用可否の決定が可能な旨を報知部に報知する。当該報知により、使用者は、他方の取得装置を利用できることを認識することができる。
【００１３】
上記画像処理装置では、前記所定条件は、一方の取得装置に対応する参照情報に基づいて前記画像処理部の使用が許可されないことを含むようにしてもよい。この画像処理装置では、一方の取得装置からの認証情報では、対応する参照情報に基づいて画像処理部の使用が許可されないことに応じて報知部に報知する。当該報知により、使用者は、一方の取得装置を利用できないことを認識することができる。
【００１４】
上記画像処理装置では、前記所定条件は、前記第１参照情報及び前記第２参照情報のそれぞれの参照情報に基づいて前記画像処理部の使用許可の決定が可能であり、かつ、他方の取得装置で取得可能な認証情報の情報量が一方の取得装置で取得可能な認証情報の情報量よりも多いことを含むようにしてもよい。
【００１５】
この画像処理装置では、一方の取得装置からの認証情報に対して、第１参照情報及び第２参照情報のそれぞれの参照情報に基づいて画像処理部の使用許可の決定が可能であり、かつ、他方の取得装置で取得可能な認証情報の情報量が一方の取得装置で取得可能な認証情報の情報量よりも多いことに応じて報知部に報知する。当該報知により、使用者は、他方の取得装置を利用することで、より多くの情報量を有する認証情報、つまり、より高性能な認証情報を取得することができることを認識することができる。
【００１６】
上記画像処理装置では、前記決定処理では、一方の取得装置から取得した認証情報に対して対応する参照情報に基づいて前記画像処理部の使用を許可しない決定を行ったことに応じて、他方の取得装置に対応する参照情報に基づいて前記画像処理部の使用可否の決定を行うようにしてもよい。
【００１７】
この画像処理装置では、一方の取得装置から取得した認証情報に対して対応する参照情報に基づいて画像処理部の使用を許可しない決定を行ったことに応じて、他方の取得装置に対応する参照情報に基づいて画像処理部の使用可否の決定を行う。そのため、使用者は、間違えて一方の取得装置で認証情報を取得させた場合でも、再度、他方の取得装置で認証情報を取得させる必要がなく、利便性を向上させることができる。
【００１８】
上記画像処理装置では、前記制御部は、前記内部の取得装置が取得可能な認証情報の種類と、前記外部の取得装置が取得可能な認証情報の種類とを比較する種類比較処理と、前記種類比較処理において前記内部の取得装置で取得可能な認証情報の種類の少なくとも一部が前記外部の取得装置で取得可能であることに応じて、前記内部の取得装置及び前記外部の取得装置で取得可能な特定種類の認証情報に対して、前記内部の取得装置と前記外部の取得装置のいずれか一方の取得装置を前記特定種類の認証情報の取得元と選定し、他方の取得装置を前記特定種類の認証情報の非取得元と選定する選定処理と、を実行してもよい。
【００１９】
この画像処理装置では、両方の取得装置で取得可能な特定種類の認証情報に対して、一方の取得装置を取得元と選定し、他方の取得装置を非取得元と選定する。そのため、制御部の決定処理において、他方の取得装置からの特定種類の認証情報に対して画像処理部の使用可否の決定が行われることが抑制され、制御部における処理を簡素化することができる。
【００２０】
上記画像処理装置では、前記制御部は、前記内部の取得装置で取得可能な認証情報の情報量と、前記外部の取得装置で取得可能な認証情報の情報量とを比較する情報量比較処理、を実行し、前記選定処理では、前記情報量比較処理において情報量が多いと判断された取得装置を取得元として選定してもよい。
【００２１】
この画像処理装置では、特定種類の認証情報に対して、取得可能な認証情報の情報量が多いと判断された取得装置を取得元として選定するので、より高性能な特定種類の認証情報を取得することができる。
【発明の効果】
【００２２】
本明細書によって開示される発明によれば、取得装置から認証情報を取得可能な画像処理装置において、複数の取得装置それぞれから取得された認証情報を使い分けることが可能である。
【図面の簡単な説明】
【００２３】
【図１】画像処理システムの概略構成を示すブロック図
【図２】認証デバイス認識処理を示すフローチャート
【図３】ログイン処理を示すフローチャート
【図４】外付認証デバイスを取得元として選定した場合の設定画面を示す図
【図５】ログイン待機画面を示す図
【図６】ホーム画面を示す図
【図７】ログイン処理を示すフローチャート
【図８】ログイン処理を示すフローチャート
【図９】認証デバイス認識処理を示すフローチャート
【図１０】ログイン処理を示すフローチャート
【発明を実施するための形態】
【００２４】
一実施形態の複合機１０について図１から図６を参照しつつ説明する。
本実施形態の画像処理システムは、図１に示したように、通信回線５０を介して接続された複合機１０と端末装置４０とサーバ５１とを備えている。
【００２５】
複合機１０は、画像処理装置の一例であり、スキャン機能に加えて、コピー機能、印刷機能など、複数の機能を実行可能である。複合機１０は、ＣＰＵ１１、ＲＯＭ１２、ＲＡＭ１３、ＮＶＲＡＭ１４、ＡＳＩＣ（Application Specific Integrated Circuit）１５、操作部１７、表示部１８、読取部１９、画像形成部２０、内蔵認証デバイス２１、接続インターフェース（以下、接続Ｉ／Ｆ）２４、及び、ネットワークインターフェース（以下、ネットワークＩ／Ｆ）２５を備える。
【００２６】
ＲＯＭ１２には、複合機１０の動作を制御するための各種のプログラムが記憶されており、各種のプログラムには、例えば、後述する認証デバイス認識処理、ログイン処理等を実行するためのプログラムが含まれる。ＮＶＲＡＭ１４には、後述する内蔵用ユーザ情報６５（図４参照）等が予め記憶されている。ＣＰＵ１１は、ＲＯＭ１２から読み出したプログラムに従って、その処理結果をＲＡＭ１３やＮＶＲＡＭ１４に記憶させながら、複合機１０の各部を制御する。図１に実線１６で示すように、ＣＰＵ１１、ＲＯＭ１２、ＲＡＭ１３、ＮＶＲＡＭ１４、ＡＳＩＣ１５を含めたものが、制御部の一例である。
【００２７】
操作部１７は、複数のボタンを有し、使用者による各種の入力指示を受け付け可能である。表示部１８は、液晶ディスプレイやランプ等を有し、ＣＰＵ１１の制御により様々な画像を表示することが可能である。ネットワークＩ／Ｆ２５は、既述の通信回線５０に接続されており、これにより複合機１０と端末装置４０とサーバ５１との間での通信が可能である。操作部１７及びネットワークＩ／Ｆ２５は、入力部の一例であり、表示部１８は、報知部の一例である。
【００２８】
読取部１９は、ＣＰＵ１１の制御により読取原稿上の画像を読み取り、生成した画像データを端末装置４０等に供給する。画像形成部２０は、端末装置４０等から供給された印刷データに基づいてＣＰＵ１１の制御によりシート上に画像を形成する。読取部１９及び画像形成部２０は、それぞれ画像処理部の一例である。
【００２９】
内蔵認証デバイス２１は、複合機１０に内蔵された認証デバイスであり、複合機１０へのログインの可否、つまり、読取部１９及び画像形成部２０の少なくとも一方の使用可否を決定するための認証情報を取得する。内蔵認証デバイス２１は、取得部２２を有する。取得部２２は、特定の種類の認証情報が取得可能であり、本実施形態では、取得部２２は、ＩＣチップを備えるカード（以下、ＩＣカード）のうち、Ａ種のＩＣカード（以下、Ａ種ＩＣカード）に記録されたカードＩＤとＢ種のＩＣカード（以下、Ｂ種ＩＣカード）に記録されたカードＩＤを取得可能である。取得部２２は、Ａ種ＩＣカード或はＢ種ＩＣカードが所定の読取位置に配置されると、そのＩＣカードに記録されているカードＩＤを読み取り、取得されたカードＩＤをＣＰＵ１１に送る。内蔵認証デバイス２１は、内部の取得装置の一例であり、カードＩＤは、認証情報の一例である。
【００３０】
接続Ｉ／Ｆ２４は、無線通信方式または有線通信方式により、外付デバイスと通信を行うためのインターフェースである。本実施形態では、接続Ｉ／Ｆ２４は、接続配線３３によって外付認証デバイス３０に接続され、有線通信方式により外付認証デバイス３０と通信を行うとともに、接続配線３３を介して外付認証デバイス３０に電力を供給する。接続Ｉ／Ｆ２４は、通信部の一例である。
【００３１】
外付認証デバイス３０は、複合機１０に外付け可能な認証デバイスであり、複合機１０の接続Ｉ／Ｆ２４に着脱可能に接続される。外付認証デバイス３０は、接続Ｉ／Ｆ３１と取得部３２とを有する。接続Ｉ／Ｆ３１は、既述の接続配線３３に接続されており、これにより複合機１０と外付認証デバイス３０との間での通信が可能であるとともに、複合機１０から外付認証デバイス３０への電力供給が可能である。外付認証デバイス３０は、外部の取得装置の一例である。
【００３２】
取得部３２は、特定の種類の認証情報が取得可能であり、本実施形態では、ＩＣカードのうち、Ｂ種ＩＣカード及びＣ種のＩＣカード（以下、Ｃ種ＩＣカード）に記録されたカードＩＤを取得可能である。取得部３２は、Ｂ種ＩＣカード或はＣ種ＩＣカードが所定の読取位置に配置されると、そのＩＣカードに記録されているカードＩＤを読み取り、取得されたカードＩＤをＣＰＵ１１に送る。
【００３３】
ＣＰＵ１１は、認証デバイス２１、３０により取得されたカードＩＤを、操作部１７から入力された使用者名及びパスワードと関連付けてユーザ情報を設定し、記憶する。本実施形態では、ＣＰＵ１１は、内蔵認証デバイス２１を用いて設定された内蔵用ユーザ情報６５をＮＶＲＡＭ１４に記憶し、外付認証デバイス３０を用いて設定された外付用ユーザ情報７５をサーバ５１に記憶する。ＣＰＵ１１は、後述するログイン処理において、内蔵認証デバイス２１により取得されたカードＩＤを対応する内蔵用ユーザ情報６５と照合して複合機１０へのログインの可否を決定し、外付認証デバイス３０により取得されたカードＩＤを対応する外付用ユーザ情報７５と照合して複合機１０へのログインの可否を決定する。内蔵用ユーザ情報６５は、第１参照情報の一例であり、外付用ユーザ情報７５は、第２参照情報の一例である。
【００３４】
ユーザ情報６５、７５は、表示部１８に表示させて閲覧することができるとともに、端末装置４０からでも閲覧することができる。具体的には、図４に示すように、ユーザ情報６５、７５を含む設定画面６０が、表示部１８に表示可能に構成されている。また、端末装置４０からの要求に応じて、端末装置４０の表示部（不図示）にユーザ情報６５を含む設定画面６０が表示可能に構成されている。
【００３５】
図４に示すように、本実施形態では、内蔵認証デバイス２１からはＡ種ＩＣカード或いはＢ種ＩＣカードの８桁数字のカードＩＤが取得可能であり、外付認証デバイス３０からはＢ種ＩＣカード或いはＣ種ＩＣカードの１６桁数字のカードＩＤが取得可能である。すなわち、Ｂ種ＩＣカードは、内蔵認証デバイス２１と外付認証デバイス３０の両方の認証デバイスでカードＩＤが取得可能である一方、認証デバイスにより取得されるカードＩＤの桁数が異なる。ユーザ情報６５、７５では、使用者名毎に、８桁数字あるいは１６桁数字の少なくとも一方のカードＩＤが設定されており、設定されているカードＩＤに対応するチェックボックスにチェックが付けられている。カードＩＤの桁数は、認証情報の情報量の一例である。
【００３６】
設定画面６０には、ユーザ情報６５、７５の他に、認証デバイス設定情報６１が表示される。認証デバイス設定情報６１には、認証デバイス状態情報６２と認証カードタイプ情報６３とが含まれる。認証デバイス状態情報６２には、後述する認証デバイス認識処理によって決定される認証デバイスの有効・無効の状態が表示されるとともに、対応するユーザ情報の所在地を示すアドレスが表示される。
【００３７】
本実施形態では、「有効」とは、電力が供給されている状態を意味し、「無効」とは、電力供給が停止されている状態を意味する。そのため、複合機１０では、有効化された認証デバイスからカードＩＤが取得され、無効化された認証デバイスからカードＩＤが取得されない。本実施形態では、内蔵認証デバイス２１は常に有効状態とされ、外付認証デバイス３０は接続Ｉ／Ｆ２４への接続等により有効・無効の状態が切り替わる。
【００３８】
認証カードタイプ情報６３には、各認証デバイス２１、３０が取得可能なＩＣカードの種類が記載されている。より具体的には、認証カードタイプ情報６３には、各認証デバイス２１、３０が取得可能なＩＣカードの種類の一覧を示している。認証カードタイプ情報６３では、各認証デバイス２１、３０において、後述する認証デバイス認識処理によって認証対象として設定されたＩＣカードの種類に隣接するチェックボックスにチェックが付けられている。
【００３９】
以下、図２から図６を参照して、複合機１０のＣＰＵ１１が実行する認証デバイス認識処理、及び、ログイン処理を説明する。認証デバイス認識処理は、複合機１０が電源オンされているときに、一定時間毎に実行される。図２に示すように、ＣＰＵ１１は、認証デバイス認識処理を開始すると、まず、内蔵認証デバイス２１で認証対象とするＩＣカードの種類の選定を受け付ける（Ｓ２）。ＣＰＵ１１は、操作部１７を介して、或いは、ネットワークＩ／Ｆ２５を介して端末装置４０からＩＣカードの種類の選定を受け付けると、認証カードタイプ情報６３に選定内容を設定する（Ｓ４）。本実施形態では、図４に示すように、内蔵認証デバイス２１で取得可能なＡ種ＩＣカードとＢ種ＩＣカードのうち、Ａ種ＩＣカードが認証対象のＩＣカードとして設定されている。
【００４０】
次に、ＣＰＵ１１は、外付認証デバイス３０が接続されているか否かを判断する（Ｓ６）。ＣＰＵ１１は、接続Ｉ／Ｆ２４に外付認証デバイス３０が接続されると、外付認証デバイス３０に電力供給を行い、その後、外付認証デバイス３０に対して型番や外付認証デバイス３０で取得可能なＩＣカードの種類の情報等を外付認証デバイス３０に問い合わせる。ＣＰＵ１１は、外付認証デバイス３０への問い合わせに応じて外付認証デバイス３０から返答があった場合、外付認証デバイス３０が接続されていると判断する。その一方、ＣＰＵ１１は、外付認証デバイス３０への問い合わせにも関わらず、外付認証デバイス３０から返答がなかった場合、外付認証デバイス３０が接続されていないと判断する。
【００４１】
ＣＰＵ１１は、外付認証デバイス３０が接続されていないと判断した場合（Ｓ６：ＮＯ）、認証デバイス認識処理を終了する。その一方、ＣＰＵ１１は、外付認証デバイス３０が接続されていると判断した場合（Ｓ６：ＹＥＳ）、外付認証デバイス３０に対応する外付用ユーザ情報７５の設定を受け付ける（Ｓ８）。具体的には、ＣＰＵ１１は、外付用ユーザ情報７５が記憶されているサーバ５１のアドレスを受け付け、当該アドレスを受け付けると、認証デバイス状態情報６２にそのアドレスを設定する（Ｓ１０）。
【００４２】
次に、ＣＰＵ１１は、設定された外付用ユーザ情報７５が照合可能か否かを判断する（Ｓ１２）。具体的には、ＣＰＵ１１は、外付用ユーザ情報７５が記憶されているサーバ５１に問い合わせを行い、当該問い合わせに応じてサーバ５１から返答があった場合、外付用ユーザ情報７５が照合可能と判断する。その一方、ＣＰＵ１１は、サーバ５１への問い合わせにも関わらず、サーバ５１から返答がなかった場合、外付用ユーザ情報７５が照合不能と判断する。
【００４３】
ＣＰＵ１１は、外付用ユーザ情報７５が照合不能と判断した場合（Ｓ１２：ＮＯ）、接続Ｉ／Ｆ２４を介した外付認証デバイス３０への電力供給を停止することにより、外付認証デバイス３０を無効化し（Ｓ１４）、認証デバイス認識処理を終了する。ＣＰＵ１１は、外付認証デバイス３０を無効化することで、外付認証デバイス３０からカードＩＤが送信されないようにする。その一方、外付用ユーザ情報７５が接続可能と判断した場合（Ｓ１２：ＹＥＳ）、接続Ｉ／Ｆ２４を介した外付認証デバイス３０への電力供給を継続することにより、外付認証デバイス３０を有効化する（Ｓ１６）。
【００４４】
ＣＰＵ１１は、外付認証デバイス３０を有効化すると、次に、外付認証デバイス３０で認証対象とするＩＣカードの種類の選定を受け付ける（Ｓ１８）。ＣＰＵ１１は、ＩＣカードの種類の選定を受け付けると、認証カードタイプ情報６３に選定内容を設定し（Ｓ２０）、認証デバイス認識処理を終了する。本実施形態では、図４に示すように、外付認証デバイス３０で取得可能なＢ種ＩＣカードとＣ種ＩＣカードの両方が認証対象のＩＣカードとして設定されている。
【００４５】
次に、ログイン処理について説明する。ログイン処理は、操作部１７を介して、或いは、ネットワークＩ／Ｆ２５を介して端末装置４０から使用者の入力操作が行われた場合に実行される。図３に示すように、ＣＰＵ１１は、ログイン処理を開始すると、まず、ログイン待機画面７０を表示部１８に表示する（Ｓ２２）。図５に示すように、ログイン待機画面７０には、使用者名及びパスワードを入力可能な入力欄７１が設けられている他、使用者名及びパスワードの入力に代えて、認証デバイス２１、３０が利用可能である旨のメッセージ７２が表示されている。
【００４６】
ＣＰＵ１１は、ログイン待機画面７０の表示後、認証デバイス２１、３０からのカードＩＤの取得、又は、使用者による入力欄７１への入力を待機する（Ｓ２４：ＮＯ）。ＣＰＵ１１は、認証デバイス２１、３０からカードＩＤが取得され、或は、使用者により入力欄７１に使用者名及びパスワードが入力されると（Ｓ２４：ＹＥＳ）、取得された情報をユーザ情報６５、７５と照合する。
【００４７】
具体的には、ＣＰＵ１１は、取得された情報の取得元を判断し（Ｓ２６、Ｓ２８）、当該情報が内蔵認証デバイス２１で取得されたカードＩＤである場合（Ｓ２６：ＹＥＳ）、取得されたカードＩＤを対応する内蔵用ユーザ情報６５と照合する（Ｓ３０）。また、取得された情報が外付認証デバイス３０で取得されたカードＩＤである場合（Ｓ２６：ＮＯ、Ｓ２８：ＹＥＳ）、取得されたカードＩＤを対応する外付用ユーザ情報７５と照合する（Ｓ３２）。また、ＣＰＵ１１は、取得された情報が操作部１７、或いは、端末装置４０から入力された入力情報である場合（Ｓ２６：ＮＯ、Ｓ２８：ＮＯ）、当該入力情報をユーザ情報６５、７５のうちの照合可能なユーザ情報と照合する（Ｓ３４）。
【００４８】
ＣＰＵ１１は、取得されたカードＩＤ、或は、入力欄７１への入力情報がユーザ情報６５、７５と一致しない場合（Ｓ３６：ＮＯ）、複合機１０へのログインを許可せず、表示部１８に照合エラー画面を表示し（Ｓ３７）、ログイン処理を終了する。
【００４９】
その一方、ＣＰＵ１１は、取得されたカードＩＤ、或は、入力欄７１への入力情報がユーザ情報６５と一致する場合（Ｓ３６：ＹＥＳ）、複合機１０へのログインを許可し、複合機１０を読取部１９及び画像形成部２０を使用可能な状態に切り替えるとともに、図６に示すホーム画面８０を表示部１８に表示する（Ｓ３８）。
【００５０】
ＣＰＵ１１は、ホーム画面８０の表示後、選択利用機能として、以下の処理を実行する（Ｓ４０）。ホーム画面８０には、「Ｃｏｐｙ」、「Ｓｃａｎ」、「Ｆａｘ」等、読取部１９と画像形成部２０の少なくとも一方を使用した機能が記載された機能ボタン８１が設けられている。ＣＰＵ１１は、使用者によって機能ボタン８１の１つが選択されると、選択されたボタンに係る機能を実行する。
【００５１】
また、ホーム画面８０には、「Ｍｅｎｕ」、「ＵｓｅｒＭｅｎｕ」等、各種設定を行うための設定ボタン８２が設けられている。ＣＰＵ１１は、使用者によって設定ボタン８２の１つが選択されると、表示部１８に設定画面６０を表示する。これにより、使用者は、表示された設定画面６０を用いてユーザ情報６５の更新設定等を実行することができる。
【００５２】
更に、ホーム画面８０には、複合機１０からログアウトするためのログアウトボタン８３が設けられている。ＣＰＵ１１は、使用者によってログアウトボタン８３が選択されてログアウト指示が入力されたかを判断する（Ｓ４２）。ＣＰＵ１１は、ログアウト指示が入力されていない場合（Ｓ４２：ＮＯ）、Ｓ３８からの処理を繰り返す。その一方、ログアウト指示が入力されると（Ｓ４２：ＹＥＳ）、ログイン処理を終了する。
【００５３】
上述した本実施形態では、ＣＰＵ１１は、内蔵認証デバイス２１により取得されたカードＩＤを対応する内蔵用ユーザ情報６５と照合して複合機１０へのログインの可否を決定し、外付認証デバイス３０により取得されたカードＩＤを対応する外付用ユーザ情報７５と照合して複合機１０へのログインの可否を決定する。これにより、内蔵認証デバイス２１と外付認証デバイス３０のそれぞれから取得されるカードＩＤを、ユーザ情報により使い分けることができる。
【００５４】
上述した本実施形態では、ＣＰＵ１１は、操作部１７、或いは、ネットワークＩ／Ｆ２５を介して端末装置４０から受け付けた使用者の入力に基づいて外付用ユーザ情報７５を設定するので、使用者の意図に応じて外付用ユーザ情報７５を設定することができる。
【００５５】
上述した本実施形態では、外付用ユーザ情報７５が複合機１０外部のサーバ５１に記憶されている。仮に、外付用ユーザ情報７５を複合機１０内のＮＶＲＡＭ１４に記憶することとすると、予めＮＶＲＡＭ１４に外付用ユーザ情報７５を記憶する容量を確保しておく必要があり、外付認証デバイス３０が接続されない場合には、当該容量を有効に活用できない。本実施形態では、外付用ユーザ情報７５が複合機１０外部に記憶されることで、ＮＶＲＡＭ１４を有効に活用することができる。
【００５６】
上述した本実施形態では、ＣＰＵ１１は、設定した外付用ユーザ情報７５が照合可能か否かを判断し、外付用ユーザ情報７５が照合不能と判断した場合には、外付認証デバイス３０への電力供給を停止し、外付認証デバイス３０からカードＩＤが送信されないようにする。これにより、複合機１０の電力消費を低減することができるとともに、外付認証デバイス３０で取得されたカードＩＤに対して、ログイン処理が実行されることが抑制され、ＣＰＵ１１における処理を簡素化することができる。
【００５７】
上述した本実施形態では、ＣＰＵ１１は、操作部１７、或いは、ネットワークＩ／Ｆ２５を介して端末装置４０から受け付けた使用者の入力に基づいて各認証デバイス２１、３０で認証対象とするＩＣカードの種類を設定する。これにより、内蔵認証デバイス２１と外付認証デバイス３０のそれぞれから取得されるカードＩＤを、使用者の入力により使い分けることができる。
【００５８】
別の実施形態の複合機１０について図７を用いて説明する。本実施形態では、ログイン処理において、一方の認証デバイスで取得されたカードＩＤが対応するユーザ情報と一致しない場合に、他方の認証デバイスに対応するユーザ情報で照合可能か否かを判断する点で、上記の実施形態の複合機１０と異なる。
【００５９】
本実施形態では、内蔵認証デバイス２１に対しては、Ａ種ＩＣカードとＢ種ＩＣカードとが認証対象のＩＣカードに設定されており、外付認証デバイス３０に対しては、Ｂ種ＩＣカードとＣ種ＩＣカードとが認証対象のＩＣカードに設定されている。すなわち、Ｂ種ＩＣカードは、内蔵認証デバイス２１と外付認証デバイス３０の両方の認証デバイスに対して、認証対象のＩＣカードに設定されている。以下の説明では、上記の実施形態と同一の内容については重複した記載を省略する。
【００６０】
以下、図７を参照して、本実施形態のログイン処理を説明する。図７に示すように、ＣＰＵ１１は、ログイン処理を開始し、内蔵認証デバイス２１からカードＩＤが取得されると、取得されたカードＩＤを対応する内蔵用ユーザ情報６５と照合する（Ｓ３０）。また、ＣＰＵ１１は、外付認証デバイス３０からカードＩＤが取得されると、取得されたカードＩＤを対応する外付用ユーザ情報７５と照合する（Ｓ３２）。ＣＰＵ１１は、各認証デバイスで取得されたカードＩＤが対応するユーザ情報と一致する場合（Ｓ５２：ＹＥＳ、Ｓ５４：ＹＥＳ）、複合機１０へのログインを許可し、Ｓ３８からの処理を実行する。
【００６１】
その一方、ＣＰＵ１１は、各認証デバイスで取得されたカードＩＤが対応するユーザ情報と一致しない場合（Ｓ５２：ＮＯ、Ｓ５４：ＮＯ）、つまり、対応するユーザ情報では複合機１０へのログインを許可できない場合に、複合機１０へのログインを許可せず、当該カードＩＤが他方の認証デバイスによって複合機１０へのログインを許可することができるか否かを判断する（Ｓ５６、Ｓ５８）。
【００６２】
具体的には、ＣＰＵ１１は、内蔵認証デバイス２１から取得されたカードＩＤが対応する内蔵用ユーザ情報６５と一致しない場合（Ｓ５２：ＮＯ）、当該カードＩＤが取得されたＩＣカードの種類が、外付認証デバイス３０の認証対象であるか否かを判断する（Ｓ５６）。ＣＰＵ１１は、ＩＣカードの種類がＡ種ＩＣカードであり、外付認証デバイス３０の認証対象でない場合（Ｓ５６：ＮＯ）、表示部１８に照合エラー画面を表示し（Ｓ３７）、ログイン処理を終了する。
【００６３】
その一方、ＣＰＵ１１は、ＩＣカードの種類がＢ種ＩＣカードであり、外付認証デバイス３０の認証対象である場合（Ｓ５６：ＹＥＳ）、表示部１８に照合エラー画面を表示するとともに、外付認証デバイス３０が利用可能である旨を表示し（Ｓ６０）、ログイン処理を終了する。
【００６４】
同様に、ＣＰＵ１１は、外付認証デバイス３０から取得されたカードＩＤが対応する外付用ユーザ情報７５と一致しない場合（Ｓ５４：ＮＯ）、当該カードＩＤが取得されたＩＣカードの種類が、内蔵認証デバイス２１の認証対象であるか否かを判断する（Ｓ５８）。ＣＰＵ１１は、ＩＣカードの種類がＣ種ＩＣカードであり、内蔵認証デバイス２１の認証対象でない場合（Ｓ５８：ＮＯ）、表示部１８に照合エラー画面を表示し（Ｓ３７）、ログイン処理を終了する。
【００６５】
その一方、ＣＰＵ１１は、当該カードＩＤが取得されたＩＣカードの種類がＢ種ＩＣカードであり、内蔵認証デバイス２１における認証対象のＩＣカードである場合（Ｓ５６：ＹＥＳ）、表示部１８に照合エラー画面を表示するとともに、内蔵認証デバイス２１が利用可能である旨を表示し（Ｓ６０）、ログイン処理を終了する。
【００６６】
上述した本実施形態では、一方の認証デバイスから取得されたカードＩＤが対応するユーザ情報と一致しない場合、他方の認証デバイスによる読み取りが可能である旨を表示部１８に表示する。この表示により、複合機１０の使用者は、一方の認証デバイスを利用できないことを認識するとともに、他方の認証デバイスを利用できることを認識することができる。
【００６７】
また、別の実施形態の複合機１０について図８を用いて説明する。本実施形態では、ログイン処理において、一方の認証デバイスで取得されたカードＩＤを、一方の認証デバイスに対応するユーザ情報と、他方の認証デバイスに対応するユーザ情報のいずれのユーザ情報で照合することで高精度に照合できるか否かを判断する点で、上記の実施形態の複合機１０と異なる。
【００６８】
本実施形態では、内蔵認証デバイス２１に対しては、Ａ種ＩＣカードとＢ種ＩＣカードとが認証対象のＩＣカードに設定されており、外付認証デバイス３０に対しては、Ｂ種ＩＣカードとＣ種ＩＣカードとが認証対象のＩＣカードに設定されている。すなわち、Ｂ種ＩＣカードは、内蔵認証デバイス２１と外付認証デバイス３０の両方の認証デバイスにおいて、認証対象のＩＣカードに設定されており、かつ、外付認証デバイス３０でカードＩＤを取得されることで、内蔵認証デバイス２１で取得される場合に比べて、多くの桁数のカードＩＤ、つまり、情報量の多いカードＩＤを取得することができる。以下の説明では、上記の実施形態と同一の内容については重複した記載を省略する。
【００６９】
以下、図８を参照して、本実施形態のログイン処理を説明する。図８に示すように、ＣＰＵ１１は、ログイン処理を開始し、内蔵認証デバイス２１からカードＩＤが取得されると、取得されたカードＩＤを対応する内蔵用ユーザ情報６５と照合する（Ｓ３０）。また、ＣＰＵ１１は、外付認証デバイス３０からカードＩＤが取得されると、取得されたカードＩＤを対応する外付用ユーザ情報７５と照合する（Ｓ３２）。ＣＰＵ１１は、各認証デバイスで取得されたカードＩＤが対応するユーザ情報と一致しない場合（Ｓ５２：ＮＯ、Ｓ５４：ＮＯ）、複合機１０へのログインを許可せず、表示部１８に照合エラー画面を表示し（Ｓ３７）、ログイン処理を終了する。
【００７０】
その一方、ＣＰＵ１１は、各認証デバイスで取得されたカードＩＤが対応するユーザ情報と一致する場合（Ｓ５２：ＹＥＳ、Ｓ５４：ＹＥＳ）、つまり、複合機１０へのログインを許可する場合に、当該カードＩＤが他方の認証デバイスによって複合機１０へのログインを許可することができるか否かを判断する（Ｓ６２、Ｓ６４）。
【００７１】
具体的には、ＣＰＵ１１は、内蔵認証デバイス２１から取得されたカードＩＤが対応する内蔵用ユーザ情報６５と一致する場合（Ｓ５２：ＹＥＳ）、当該カードＩＤが取得されたＩＣカードの種類が、外付認証デバイス３０の認証対象であるか否かを判断する（Ｓ６２）。ＣＰＵ１１は、ＩＣカードの種類がＡ種ＩＣカードであり、外付認証デバイス３０の認証対象でない場合（Ｓ６２：ＮＯ）、Ｓ３８からの処理を実行する。
【００７２】
その一方、ＣＰＵ１１は、ＩＣカードの種類がＢ種ＩＣカードであり、内蔵認証デバイス２１及び外付認証デバイス３０の認証対象である場合（Ｓ６２：ＹＥＳ）、更に、外付認証デバイス３０により高精度に照合可能か否かを判断する（Ｓ６６）。
【００７３】
具体的には、ＣＰＵ１１は、外付認証デバイス３０により取得可能なカードＩＤの桁数と内蔵認証デバイス２１により取得可能なカードＩＤの桁数とを比較し、外付認証デバイス３０により取得可能なカードＩＤの桁数が内蔵認証デバイス２１により取得可能なカードＩＤの桁数より多い場合（Ｓ６６：ＹＥＳ）、表示部１８に外付認証デバイス３０を利用することで高精度に照合できる旨を表示し（Ｓ７０）、Ｓ３８からの処理を実行する。本実施形態では、外付認証デバイス３０により取得可能なカードＩＤの桁数が内蔵認証デバイス２１により取得可能なカードＩＤの桁数より多いため、Ｓ６６の処理では「ＹＥＳ」と判断される。
【００７４】
その一方、外付認証デバイス３０により取得可能なカードＩＤの桁数が内蔵認証デバイス２１により取得可能なカードＩＤの桁数以下である場合（Ｓ６６：ＮＯ）、上記表示をすることなく、Ｓ３８からの処理を実行する。
【００７５】
同様に、ＣＰＵ１１は、外付認証デバイス３０から取得されたカードＩＤが対応する外付用ユーザ情報７５と一致する場合（Ｓ５４：ＹＥＳ）、当該カードＩＤが取得されたＩＣカードの種類が、内蔵認証デバイス２１の認証対象であるか否かを判断する（Ｓ６４）。ＣＰＵ１１は、ＩＣカードの種類がＣ種ＩＣカードであり、内蔵認証デバイス２１の認証対象でない場合（Ｓ６４：ＮＯ）、Ｓ３８からの処理を実行する。
【００７６】
その一方、ＣＰＵ１１は、ＩＣカードの種類がＢ種ＩＣカードであり、外付認証デバイス３０及び内蔵認証デバイス２１の認証対象である場合（Ｓ６４：ＹＥＳ）、更に、内蔵認証デバイス２１により高精度に照合可能か否かを判断する（Ｓ６８）。
【００７７】
具体的には、ＣＰＵ１１は、内蔵認証デバイス２１により取得可能なカードＩＤの桁数と外付認証デバイス３０により取得可能なカードＩＤの桁数とを比較し、内蔵認証デバイス２１により取得可能なカードＩＤの桁数が外付認証デバイス３０により取得可能なカードＩＤの桁数よりも多い場合（Ｓ６８：ＹＥＳ）、表示部１８に内蔵認証デバイス２１を利用することで高精度に照合できる旨を表示し（Ｓ７０）、Ｓ３８からの処理を実行する。
【００７８】
その一方、内蔵認証デバイス２１により取得可能なカードＩＤの桁数が外付認証デバイス３０により取得可能なカードＩＤの桁数以下である場合（Ｓ６８：ＮＯ）、上記表示をすることなく、Ｓ３８からの処理を実行する。本実施形態では、内蔵認証デバイス２１により取得可能なカードＩＤの桁数が外付認証デバイス３０により取得可能なカードＩＤの桁数以下であるため、Ｓ６８の処理では「ＮＯ」と判断される。
【００７９】
上述した本実施形態では、一方の認証デバイスでカードＩＤを取得されたＩＣカードの種類が、両方の認証デバイス２１、３０の認証対象である場合、各認証デバイスで取得可能なカードＩＤの桁数を判断する。そして、他方の認証デバイスで多くの桁数を有するカードＩＤを取得可能な場合には、他方の認証デバイスを利用することで高精度に照合できる旨を表示部１８に表示する。この表示により、複合機１０の使用者は、高精度な照合を望む場合に、他方の認証デバイスを利用できることを認識することができる。
【００８０】
更に、別の実施形態の複合機１０について図９、１０を用いて説明する。本実施形態では、認証デバイス認識処理において、各認証デバイスで認証対象とするＩＣカードの種類を、使用者からの選定とは別に、装置側で選定する処理を含む点、及び、ログイン処理において、一方の認証デバイスで取得されたカードＩＤが対応するユーザ情報と一致しない場合に、他方の認証デバイスに対応するユーザ情報と照合する点で、上記の実施形態の複合機１０と異なる。
【００８１】
尚、本実施形態では、各認証デバイス２１で認証対象とするＩＣカードの種類の選定を使用者から受け付ける処理を実行しない。以下の説明では、上記の実施形態と同一の内容については重複した記載を省略する。
【００８２】
以下、図９を参照して、本実施形態の認証デバイス認識処理を説明する。図９に示すように、ＣＰＵ１１は、認証デバイス認識処理を開始し、外付認証デバイス３０を有効化すると、認証カードタイプ情報６３から各認証デバイスで取得可能なＩＣカードの種類を取得する（Ｓ７２）。ＣＰＵ１１は、内蔵認証デバイス２１と外付認証デバイス３０の両方の認証デバイスで取得可能なＩＣカードの種類が存在するか否かを判断し（Ｓ７４）、両方の認証デバイスで取得可能なＩＣカードの種類が存在しない場合（Ｓ７４：ＮＯ）、認証デバイス認識処理を終了する。
【００８３】
その一方、両方の認証デバイスで取得可能なＩＣカードの種類が存在する場合（Ｓ７４：ＹＥＳ）、ＣＰＵ１１は、更に、当該ＩＣカードの種類毎にＳ７８からの処理を実行する。本実施形態では、内蔵認証デバイス２１と外付認証デバイス３０の両方の認証デバイスでＢ種ＩＣカードが取得可能であるため、Ｓ７４の処理では「ＹＥＳ」と判断される。Ｂ種ＩＣカードは、特定種類の認証情報の一例である。
【００８４】
ＣＰＵ１１は、まず、両方の認証デバイスで取得可能なＩＣカードの種類から１つの種類を選出し、選出した種類のＩＣカードにおいて、内蔵認証デバイス２１により高精度に照合可能か否かを判断する（Ｓ７８）。
【００８５】
具体的には、ＣＰＵ１１は、内蔵認証デバイス２１により取得可能なカードＩＤの桁数と外付認証デバイス３０により取得可能なカードＩＤの桁数とを比較し、内蔵認証デバイス２１により取得可能なカードＩＤの桁数が外付認証デバイス３０により取得可能なカードＩＤの桁数よりも多い場合（Ｓ７８：ＹＥＳ）、選出したＩＣカードの種類を、内蔵認証デバイス２１の認証対象として設定し（Ｓ８０）、外付認証デバイス３０の認証対象外として設定する（Ｓ８２）。つまり、内蔵認証デバイス２１を、選出したＩＣカードの種類の「取得元」として設定し、外付認証デバイス３０を、選出したＩＣカードの種類の「非取得元」として設定する。
【００８６】
その一方、ＣＰＵ１１は、内蔵認証デバイス２１により取得可能なカードＩＤの桁数が外付認証デバイス３０により取得可能なカードＩＤの桁数以下の場合（Ｓ７８：ＮＯ）、選出したＩＣカードの種類を、外付認証デバイス３０の認証対象として設定し（Ｓ８４）、内蔵認証デバイス２１の認証対象外として設定する（Ｓ８６）。つまり、外付認証デバイス３０を、選出したＩＣカードの種類の「取得元」として設定し、内蔵認証デバイス２１を、選出したＩＣカードの種類の「非取得元」として設定する。本実施形態では、外付認証デバイス３０により取得可能なカードＩＤの桁数が内蔵認証デバイス２１により取得可能なカードＩＤの桁数より多いため、Ｓ７８の処理では「ＮＯ」と判断され、外付認証デバイス３０が「取得元」として設定されるとともに、内蔵認証デバイス２１が「非取得元」として設定される。
【００８７】
ＣＰＵ１１は、両方の認証デバイスで取得可能なＩＣカードの種類の全てについて上記設定が行われたか否かを判断する（Ｓ８８）。ＣＰＵ１１は、設定が行われていないＩＣカードの種類が残っている場合（Ｓ８８：ＮＯ）、Ｓ７８からの処理を繰り返す。その一方、ＣＰＵ１１は、全てのＩＣカードの種類に対して上記設定が行われた場合（Ｓ８８：ＹＥＳ）、認証デバイス認識処理を終了する。
【００８８】
次に、図１０を参照して、本実施形態のログイン処理を説明する。図１０に示すように、ＣＰＵ１１は、ログイン処理を開始し、内蔵認証デバイス２１からカードＩＤが取得されると、取得されたカードＩＤを対応する内蔵用ユーザ情報６５と照合する（Ｓ３０）。また、ＣＰＵ１１は、外付認証デバイス３０からカードＩＤが取得されると、取得されたカードＩＤを対応する外付用ユーザ情報７５と照合する（Ｓ３２）。ＣＰＵ１１は、各認証デバイスで取得されたカードＩＤが対応するユーザ情報と一致する場合（Ｓ９２：ＹＥＳ、Ｓ９４：ＹＥＳ）、複合機１０へのログインを許可し、Ｓ３８からの処理を実行する。
【００８９】
その一方、ＣＰＵ１１は、各認証デバイスで取得されたカードＩＤが対応するユーザ情報と一致しない場合（Ｓ９２：ＮＯ、Ｓ９４：ＮＯ）、つまり、対応するユーザ情報では複合機１０へのログインを許可できない場合に、当該カードＩＤを他方の認証デバイスに対応するユーザ情報と照合する（Ｓ９６、Ｓ９８）。
【００９０】
具体的には、ＣＰＵ１１は、内蔵認証デバイス２１から取得されたカードＩＤが対応する内蔵用ユーザ情報６５と一致しない場合（Ｓ９２：ＮＯ）、当該カードＩＤを外付用ユーザ情報７５と照合する（Ｓ９６）。ＣＰＵ１１は、内蔵認証デバイス２１から取得されたカードＩＤが外付用ユーザ情報７５と一致する場合（Ｓ１００：ＹＥＳ）、複合機１０へのログインを許可し、Ｓ３８からの処理を実行する。また、ＣＰＵ１１は、内蔵認証デバイス２１から取得されたカードＩＤが外付用ユーザ情報７５と一致しない場合（Ｓ１００：ＮＯ）、複合機１０へのログインを許可せず、表示部１８に照合エラー画面を表示し（Ｓ３７）、ログイン処理を終了する。
【００９１】
同様に、ＣＰＵ１１は、外付認証デバイス３０から取得されたカードＩＤが対応する外付用ユーザ情報７５と一致しない場合（Ｓ９４：ＮＯ）、当該カードＩＤを内蔵用ユーザ情報６５と照合する（Ｓ９８）。ＣＰＵ１１は、外付用ユーザ情報７５から取得されたカードＩＤが内蔵用ユーザ情報６５と一致する場合（Ｓ１０２：ＹＥＳ）、複合機１０へのログインを許可し、Ｓ３８からの処理を実行する。また、ＣＰＵ１１は、内蔵認証デバイス２１から取得されたカードＩＤが外付用ユーザ情報７５と一致しない場合（Ｓ１０２：ＮＯ）、複合機１０へのログインを許可せず、表示部１８に照合エラー画面を表示し（Ｓ３７）、ログイン処理を終了する。
【００９２】
上述した本実施形態では、ＣＰＵ１１は、両方の認証デバイスで取得可能なＩＣカードの種類に対して、一方の認証デバイスを取得元として設定し、他方の認証デバイスを非取得元として設定する。そのため、両方の認証デバイスで取得可能なＩＣカードの種類に対して、両方の認証デバイスから取得されたカードＩＤに対して、ログイン処理が実行されることが抑制され、ＣＰＵ１１における処理を簡素化することができる。
【００９３】
上述した本実施形態では、両方の認証デバイスで取得可能なＩＣカードの種類に対して、取得元の認証デバイスを設定する際に、取得可能なカードＩＤの桁数が多いと判断された認証デバイスを取得元の認証デバイスとして設定する。そのため、取得元として設定された認証デバイスを用いて、高精度にカードＩＤを照合することができる。
【００９４】
上述した本実施形態では、一方の認証デバイスから取得されたカードＩＤが対応するユーザ情報と一致しない場合、当該カードＩＤを他方の認証デバイスに対応するユーザ情報と照合する。そのため、複合機１０の使用者は、ＩＣカードを読み取らせる認証デバイスを間違えた場合でも、当該ＩＣカードを他方の認証デバイスで読み取らせる必要がなく、使用者の利便性を向上させることができる。
【００９５】
なお、本明細書では、上記実施形態において、次の構成が開示されている。
「認証情報を取得する内部の取得装置と、
認証情報を取得する外部の取得装置と通信する通信部と、
画像の読取および形成の少なくとも一方を実行する画像処理部と、
入力部と、
制御部と、を備え、
前記制御部は、
前記内部の取得装置で対象とする認証情報と、前記外部の取得装置で対象とする認証情報と、を前記入力部からの入力に基づいて振り分ける振分処理と、
前記振分処理の振り分けに基づいて前記画像処理部の使用可否の決定を行う決定処理と、
を実行する、画像処理装置。」
【００９６】
この画像処理装置は、入力部からの入力により設定された認証情報の種類に基づいて画像処理部の使用可否の決定を行う。これにより、複数の取得装置それぞれから取得される認証情報を、入力部からの入力に従って使い分けることができる。
【００９７】
また、本明細書では、上記実施形態において、次の構成が開示されている。
「認証情報を取得する内部の取得装置と、
認証情報を取得する外部の取得装置と通信する通信部と、
画像の読取および形成の少なくとも一方を実行する画像処理部と、
制御部と、を備え、
前記制御部は、
前記内部の取得装置が取得可能な認証情報の種類と、前記外部の取得装置が取得可能な認証情報の種類とを比較する種類比較処理と、
前記種類比較処理において前記内部の取得装置で取得可能な認証情報の種類の少なくとも一部が前記外部の取得装置で取得可能であることに応じて、前記内部の取得装置及び前記外部の取得装置で取得可能な特定種類の認証情報に対して、前記内部の取得装置と前記外部の取得装置のいずれか一方の取得装置を前記特定種類の認証情報の取得元と選定し、他方の取得装置を前記特定種類の認証情報の非取得元と選定する選定処理と、
前記選定処理において取得元と選定された認証装置からの前記特定種類の認証情報に対して前記画像処理部の使用可否の決定を行い、前記選定処理において非取得元と選定された認証装置からの前記特定種類の認証情報に対して前記画像処理部の使用可否の決定を行なわない決定処理と、
を実行する、画像処理装置。」
【００９８】
この画像処理装置は、両方の取得装置で取得可能な特定種類の認証情報に対して、一方の取得装置を取得元と選定し、他方の取得装置を非取得元と選定する。そのため、制御部の決定処理において、他方の取得装置からの特定種類の認証情報に対して画像処理部の使用可否の決定が行われることが抑制され、制御部における処理を簡素化することができる。
【００９９】
本明細書で開示される技術は上記記述及び図面によって説明した実施形態に限定されるものではなく、例えば次のような種々の態様も含まれる。
【０１００】
「画像処理装置」は、複合機に限らず、例えば、スキャン機能のみを備えた画像読取装置や、印刷機能のみを備えた画像形成装置であってもよい。
【０１０１】
「取得装置」は、ＩＣカードに記録されたカードＩＤを取得するカード認証タイプの装置に限らず、指紋、網膜、静脈等の生体認証タイプの装置であってもよい。生体認証タイプの装置の場合、「認証情報」は、指紋画像、網膜の毛細血管画像、静脈血管画像等となる。
【０１０２】
「内部の取得装置」と「外部の取得装置」は、必ずしも同一の認証タイプの装置である必要はなく、異なる認証タイプの装置であってもよい。
【０１０３】
「制御部」は、１つのＣＰＵ１１により図２等の各処理を実行する構成であった。しかし、これに限らず、例えば、制御部は、複数のＣＰＵにより図２等の各処理を実行する構成、ＡＳＩＣ１５などの専用のハード回路のみにより図２等の各処理を実行する構成や、ＣＰＵおよびハード回路により図２等の各処理を実行する構成でもよい。
【０１０４】
上記実施形態では、内蔵認証デバイス２１に対応する内蔵用ユーザ情報６５はＮＶＲＡＭ１４に記憶され、外付認証デバイス３０に対応する外付用ユーザ情報７５は複合機１０外部のサーバ５１に記憶されていたが、これに限らず、これらのユーザ情報６５、７５がいずれもＮＶＲＡＭ１４に記憶されてもよければ、複合機１０外部のサーバ５１に記憶に記憶されてもよい。
【０１０５】
上記実施形態では、内蔵認証デバイス２１は、常に有効状態とされていたが、これに限らず、外付認証デバイス３０と同様に、有効・無効の状態が切り替わってもよい。
【０１０６】
上記実施形態では、認証デバイス認識処理において、ＣＰＵ１１が、有効化した認証デバイスに電力を供給し、無効化した認証デバイスへの電力供給を停止する処理を実行していたが、これに限らず、例えば、ＣＰＵ１１は、有効化した認証デバイスから認証情報を取得するようにし、無効化した認証デバイスから認証情報を受け付けない処理を実行してもよい。但し、無効化した認証デバイスへの電力供給を停止することで、複合機１０の電力消費を抑制することができる。
【０１０７】
上記実施形態では、ログイン処理において、ＣＰＵ１１が、認証デバイス２１、３０により取得された認証情報により複合機１０へのログイン、つまり、読取部１９及び画像形成部２０を用いた全機能の使用可否を決定していたが、使用可否が決定される機能は、読取部１９及び画像形成部２０を用いた特定の機能に限定されていてもよい。
【符号の説明】
【０１０８】
２１：  内蔵認証デバイス、２２：  取得部、２４：  接続Ｉ／Ｆ、２５：  ネットワークＩ／Ｆ、３０：  外付認証デバイス、３２：  取得部、６０：  設定画面、６１：  認証デバイス設定情報、６２：  認証デバイス状態情報、６３：  認証カードタイプ情報、６５：  内蔵用ユーザ情報、７５：  外付用ユーザ情報
【図１】
2015145118.tif 000003
【図２】
2015145118.tif 000004
【図３】
2015145118.tif 000005
【図４】
2015145118.tif 000006
【図５】
2015145118.tif 000007
【図６】
2015145118.tif 000008
【図７】
2015145118.tif 000009
【図８】
2015145118.tif 000010
【図９】
2015145118.tif 000011
【図１０】
2015145118.tif 000012